(57)【特許請求の範囲】
【請求項１】
正面板（２５）と背面板（２６）とが上部で折曲自在に連結されていて、側面視で逆Ｖ字状に開くスタンド姿勢（Ｘ）と、正面板（２５）と背面板（２６）とが重合する折畳姿勢（Ｙ）とに開閉自在とされた卓上表示体のスタンドであって、
前記正面板（２５）と背面板（２６）とに開口窓（２９）を形成して前後方向内方に突出する一対の連結片（３０）が切り起こし形成されており、一対の連結片（３０）の先端側は互いに重合固着される重合部（３３）とされ、一対の連結片（３０）の基部側は開口窓（２９）側と前後方向内方に突出する突出側とに揺動する揺動腕部（３４）とされ、前記スタンド姿勢（Ｘ）のときに、一対の連結片（３０）が正面板（２５）と背面板（２６）とを連結して開く角度を規制し、前記折畳姿勢（Ｙ）のときに、一対の連結片（３０）が対応する開口窓（２９）に嵌合して互いに重合することを特徴とする卓上表示体のスタンド。
【請求項２】
前記正面板（２５）と背面板（２６）とに、上下方向の一方が開口するＵ宇状又はコの字状の切込み（３１）が設けられて、前記連結片（３０）が切り起こし形成され、連結片（３０）の基端が上下方向に折曲自在とされていることを特徴とする請求項１に記載の卓上表示体のスタンド。
【請求項３】
スタンドが支持する卓上表示体は、６枚の表示シート（６）が順次折曲自在に連結されていて筒状に形成される筒形成部（３）を備え、前記表示シート（６）の各外面には順次表示（１３）が施され、
前記筒形成部（３）は、２枚の表示シート（６）が底部に配置される底面部（１７）と、他の２枚の表示シート（６）が底面部（１７）の前端から起立される正面部（１８）と、残りの２枚の表示シート（６）が底面部（１７）の後端から起立される背面部（１９）とを備えるように、三角形の筒状に保形可能とされ、
前記正面板（２５）は、正面部（１８）の内面に沿うように配置され、前記背面板（２６）は背面部（１９）の内面に沿うように配置されて、前記正面板（２５）と背面板（２６）とが筒形成部（３）内に内嵌保持されることを特徴とする請求項１又は２に記載の卓上表示体のスタンド。
【請求項４】
スタンドが支持する卓上表示体が卓上カレンダーであって、表示（１３）が１ヶ月ごとのカレンダー表示であることを特徴とする請求項３に記載の卓上表示体のスタンド。
【請求項５】
スタンドが支持する卓上表示体がメモ帳又は写真立てであって、前記正面板（２５）又は背面板（２６）の外面に沿うようにメモ用紙（３７）又は写真が保持されることを特徴とする請求項１又は２に記載の卓上表示体のスタンド。
【発明の詳細な説明】
【技術分野】
【０００１】
本発明は、机等に設置して使用される卓上カレンダー等の卓上表示体のスタンドに関するものである。
【背景技術】
【０００２】
例えば卓上表示体である卓上カレンダーやメモ帳のスタンドには、正面板と背面板とが上部で折曲自在に連結されていて、側面視で逆Ｖ字状に開くスタンド姿勢と、正面板と背面板とが重合する折畳姿勢とに開閉自在とされたものがある。
この種の従来の卓上表示体のスタンドは、正面板の下部に折れ線を介して前折り部が延長突設され、背面板の下部に折れ線を介して後折り部が延長突設され、前折り部の先端部に複数の挿入片が突設され、後折り部の先端部に複数の挿入口が設けられ、前折り部を正面板から後方に折曲すると共に、後折り部を背面板から前方に折曲し、各挿入片を対応する挿入口にそれぞれ挿入係合し、これによりスタンドを正面板と背面板とが逆Ｖ字状に開くスタンド姿勢と正面板と背面板とが重合する折畳姿勢とに保持できるようにしたものがある（例えば特許文献１）。
【先行技術文献】
【特許文献】
【０００３】
【特許文献１】特開２０１５−１０１００３号公報
【発明の概要】
【発明が解決しようとする課題】
【０００４】
しかし、従来では、スタンドを折畳姿勢にしたときに、正面板の下部と背面板の下部との間に、前折り部と後折り部とが重合状態で挟まった状態になるし、挿入口に挿入片が挿入係合した状態になっており、重合した正面板と背面板との上部側と下部側との間に大きな段差が生じてしまい、正面板の外面及び背面板の外面に凹凸が生じるため、スタンドを折畳姿勢にしてもスタンド上で卓上カレンダーのカレンダー表示部分やメモ帳のメモ用紙に文字等を良好に記載することが困難であった。
【０００５】
また、スタンドの正面板又は背面板から折れ線を介して大きく延長突出した前折り部と後折り部が必要であるし、複数の挿入片を突設する必要があり、このためスタンドを構成する構成材料が多くなる。また、製造する際に、前面部や背面部に対して、前折り部と後折り部を折り込む必要があるし、挿入片を突設形成したり、複数の挿入口を形成したりする必要もあり、また、前折り部と後折り部とを複数の挿入片と複数の挿入口とで係合させなければならなかった。このため、卓上表示体のスタンド全体の製造が面倒で、製造費用が高く付くという問題があった。
【０００６】
本発明は上記問題点に鑑み、スタンド姿勢と折畳姿勢とに容易に姿勢変更することができると共に、折畳姿勢にしたときに、前面板上又は背面板上に凹凸が少なくなってスタンド上で卓上表示体の表示部分に文字等を簡単かつ良好に記載することができ、しかも、構成材料が少なくて製造容易でかつ安価に製造することができる卓上表示体のスタンドを提供することを目的としている。
【課題を解決するための手段】
【０００７】
本発明における課題解決のための具体的手段は、次の通りである。
この技術的課題を解決する本発明の技術的手段は、正面板２５と背面板２６とが上部で折曲自在に連結されていて、側面視で逆Ｖ字状に開くスタンド姿勢Ｘと、正面板２５と背面板２６とが重合する折畳姿勢Ｙとに開閉自在とされた卓上表示体のスタンドであって、
前記正面板２５と背面板２６とに開口窓２９を形成して前後方向内方に突出する一対の連結片３０が切り起こし形成されており、一対の連結片３０の先端側は互いに重合固着される重合部３３とされ、一対の連結片３０の基部側は開口窓２９側と前後方向内方に突出する突出側とに揺動する揺動腕部３４とされ、前記スタンド姿勢Ｘのときに、一対の連結片３０が正面板２５と背面板２６とを連結して開く角度を規制し、前記折畳姿勢Ｙのときに、一対の連結片３０が対応する開口窓２９に嵌合して互いに重合する点にある。
【０００８】
また、本発明の他の技術的手段は、前記正面板２５と背面板２６とに、上下方向の一方が開口するＵ宇状又はコの字状の切込み３１が設けられて、前記連結片３０が切り起こし形成され、連結片３０の基端が上下方向に折曲自在とされている点にある。
また、本発明の他の技術的手段は、スタンドが支持する卓上表示体は、６枚の表示シート６が順次折曲自在に連結されていて筒状に形成される筒形成部３を備え、前記表示シート６の各外面には順次表示１３が施され、
前記筒形成部３は、２枚の表示シート６が底部に配置される底面部１７と、他の２枚の表示シート６が底面部１７の前端から起立される正面部１８と、残りの２枚の表示シート６が底面部１７の後端から起立される背面部１９とを備えるように、三角形の筒状に保形可能とされ、
前記正面板２５は、正面部１８の内面に沿うように配置され、前記背面板２６は背面部１９の内面に沿うように配置されて、前記正面板２５と背面板２６とが筒形成部３内に内嵌保持される点にある。
【０００９】
また、本発明の他の技術的手段は、スタンドが支持する卓上表示体が卓上カレンダーであって、表示１３が１ヶ月ごとのカレンダー表示である点にある。
また、本発明の他の技術的手段は、スタンドが支持する卓上表示体がメモ帳又は写真立てであって、前記正面板２５又は背面板２６の外面に沿うようにメモ用紙３７又は写真が保持される点にある。
【発明の効果】
【００１０】
本発明によれば、正面板と背面板とを単に開閉操作するだけでスタンドをスタンド姿勢と折畳姿勢とに容易に姿勢変更することができるし、また、折畳姿勢のときに、連結片が開口窓に嵌合して開口窓を塞ぐことができ、正面板と背面板とをきっちり重合させることができ、正面板の外面又は背面板の外面にほとんど凹凸が生じることがなくなり、スタンドの正面板上又は背面板上で卓上表示体の表示部分に文字等を簡単かつ良好に書き込むことができるようになり、便利である。
【００１１】
しかも、スタンドは正面板と背面板とを構成する厚紙等の構成材料があれば、スタンドを形成することができ、構成材料が少なくて済み、また、連結片の形成も、正面板又は背面板に切り込みを形成して抜くことで、非常に簡単になすことができ、スタンド全体を製造容易で安価に製造することができる。
【図面の簡単な説明】
【００１２】
【図１】本発明の第１実施形態を示すスタンド及び卓上カレンダーの１月の設置状態の側断面図である。
【図２】同スタンド及び卓上カレンダーの１月の設置状態の斜視図である。
【図３】同スタンド及び卓上カレンダーの６月の設置状態の側面断面図である。
【図４】同スタンド及び卓上カレンダーの１１月の設置状態の側面断図である。
【図５】同卓上カレンダーの展開状態の平面図である。
【図６】同卓上カレンダーの展開状態の底面図である。
【図７】同スタンドの展開状態の平面図である。
【図８】同スタンド及び卓上カレンダーの折畳状態の断面図である。
【図９】第２実施形態を示すスタンド及びメモ帳の設置状態の側断面図である。
【図１０】同スタンド及び卓上カレンダーの折畳状態の側面断面図である。
【図１１】同スタンドの展開状態の平面図である。
【発明を実施するための形態】
【００１３】
以下、本発明の実施の形態を図面に基づいて説明する。
図１〜図８は本発明の第１実施形態を示している。図１〜図８において、卓上表示体である卓上カレンダー１は、筒形成部３と端部シート４とを備え、筒形成部３は６枚の表示シート６を有している。
卓上カレンダー１は、１枚の厚紙により帯状に形成されていて、筒形成部３と端部シート４とを一体に有し、筒形成部３は６枚の表示シート６が折れ線ａ１を介して順次折曲自在に連結されている。
【００１４】
６枚の表示シート６には、筒形成部３の一端部（始端）から他端部（終端）に向けて、第１表示シート６ａ〜第６表示シート６ｆがあり、各表示シート６（６ａ，６ｂ，６ｃ，６ｄ，６ｅ，６ｆ）間の折れ線ａ１は山折りと谷折りとの両方に折曲できるようになっている。筒形成部３の終端の第６表示シート６ｆに端部シート４が折れ線ａ２を介して折曲自在に連結され、この折れ線ａ２は山折りと谷折りとの両方に折曲できるようになっている。
【００１５】
筒形成部３の一端部（始端の第１表示シート６ａの端部）に（図例では１個）の係合片９が突設され、他端部（終端の第６表示シート６ｆと端部シート４との境界部に）に左右方向に長い係止孔１０が係合片９に対応して（図例では１個）設けられている。
係合片９の基部に、折れ線ａ３が左右方向に設けられ、係合片９の左右両端部に折れ線ａ４を介して抜止片１２が左右方向外方に突設されている。
【００１６】
而して、筒形成部３を筒状に巻回して、左右抜止片１２を折れ線ａ４で折曲して係合片９に重ね合わせて、係合片９及び左右抜止片１２を対応する係止孔１０にその基部まで挿入した後に、左右抜止片１２を係合片９に対して伸長させることにより、左右抜止片１２が係止孔１０の開口縁部に係合して抜け止めし、筒形成部３の両端部を着脱自在に連結することができる。
【００１７】
これによって、筒形成部３は６枚の表示シート６が順次折曲自在に連結されて筒状に形成され、筒形成部３を逆巻に筒状に巻回して、筒形成部３の両端部を同様にして連結することにより、筒形成部３が内外逆になるように裏返しても筒状に形成されるようになっている。
端部シート４の外端部の左右方向中央部に係合舌片１４が折れ線ａ５を介して外方突設されている。第１表示シート６ａと第２表示シート６ｂとの境界部の折れ線ａ１の左右方向中央部上に係合舌片１４を差し込むための第１切込み１５が設けられ、第５表示シート６ｅと第６表示シート６fとの境界部の折れ線ａ１の左右方向中央部上に係合舌片１４を差し込むための第２切込み１６が設けられている。
【００１８】
最終の表示シート６（第６表示シート６ｆ）を除く各表示シート６の外面（表面）に、第１表示シート６ａ〜第５表示シート６ｅに向けて１月〜５月までの５ヶ月のカレンダー表示１３が順次印刷されている。各表示シート６の内面（裏面）に、第６表示シート６ｆ〜第１表示シート６ａに向けて７月〜１２月までの６ヶ月のカレンダー表示１３が順次印刷されている。この７月〜１２月までの６ヶ月のカレンダー表示１３は、１月〜５月までの５ヶ月のカレンダー表示１３に対して上下逆向きに表示（配置）されている。
【００１９】
即ち、卓上カレンダー１は、第１表示シート６ａ〜第５表示シート６ｅの外面にそれぞれ１月〜５月のカレンダー表示１３が順次施され、第１表示シート６ａ〜第６表示シート６ｆの内面にそれぞれ１２月〜７月のカレンダー表示１３が逆さに順次施されている。
図示省略しているが、第６表示シート６ｆと端部シート４の外面（表面）に、この卓上カレンダー１の取り扱いや広告等が表示されている。また、端部シート４の内面（裏面）に、６月のカレンダー表示１３が１２月〜７月のカレンダー表示１３と同じ向きに印刷されている。
【００２０】
筒形成部３は、後述する卓上カレンダー１のスタンド２３によって、２枚の表示シート６が底部に配置される底面部１７と、他の２枚の表示シート６が底面部１７の前端から起立される正面部１８と、残りの２枚の表示シート６が底面部１７の後端から起立される背面部１９とを備えるように、三角形の筒状に保形可能とされている。また、卓上カレンダー１には、正面部１８の表示シート６同士を伸長状態に保持する伸長保持手段が具備され、この伸長保持手段は後述するスタンド２３により兼用されている。
【００２１】
卓上カレンダー１のスタンド２３は、卓上カレンダー１の厚紙よりも厚くて剛性があって弾性を有する厚紙により一体に形成され、正面板２５と背面板２６とを一体に備えている。正面板２５と背面板２６とは上部で折れ線ｂ１を介して折曲自在に連結されていて、側面視で逆Ｖ字状に開くスタンド姿勢Ｘと、正面板２５と背面板２６とが重合する折畳姿勢Ｙとに開閉自在とされている。
【００２２】
正面板２５及び背面板２６の左右幅は、卓上カレンダー１の表示シート６の左右幅と同
一或いはそれよりもやや小さく又はやや大きく設定され、正面板２５及び背面板２６の上下高さは、卓上カレンダー１の正面部１８又は背面部１９の上下高さと同一又はそれよりもやや小さく設定されている。正面板２５及び背面板２６の上下の左右両端部は円弧状に切り欠かれている。
【００２３】
前記正面板２５と背面板２６とに、その上部側の左右方向中央部に、開口窓２９を形成して前後方向内方に突出する一対の連結片３０が切り起こし形成されている。
本実施形態では、正面板２５と背面板２６とに、下方が開口するＵ宇状の切込み３１が設けられて、前記連結片３０が切り起こし形成されている。一対の連結片３０の先端側は互いに重合固着される重合部３３とされ、重合部３３同士は接着剤や切込みによる係合片の係合等によって重合固着されている。一対の連結片３０の基部側は開口窓２９側と前後方向内方に突出する突出側とに上下揺動する揺動腕部３４とされ、連結片３０の基端が折れ線ｂ２を介して上下方向に折曲自在とされている。重合部３３は揺動腕部３４に対して折れ線ｂ３を介して折曲自在とされている。
【００２４】
スタンド２３は、正面板２５と背面板２６との間の弾性や一対の連結片３０の弾性によってスタンド姿勢Ｘに保持され、スタンド２３がスタンド姿勢Ｘのときに、一対の連結片３０が正面板２５と背面板２６とを連結して開く角度を規制する。正面板２５と背面板２６とを挟持するとスタンド２３が折畳姿勢Ｙになり、スタンド２３が折畳姿勢Ｙのときに、一対の連結片３０が対応する開口窓２９に嵌合して互いに重合するようになっている。
【００２５】
そして、スタンド２３は、正面板２５が正面部１８の内面に沿うように配置され、背面板２６が背面部１９の内面に沿うように配置されて、前記正面板２５と背面板２６とが筒形成部３内に内嵌保持される。このとき、正面板２５によって、正面部１８の表示シート６同士を略面一の伸長状態に引っ張って正面部１８を伸長状態に保持し、背面板２６によって、背面部１９の表示シート６同士を略面一の伸長状態に引っ張って背面部１９を伸長状態に保持するようになっている。また、一対の連結片３０が正面板２５と背面板２６とを連結して開く角度を規制することにより、底面部１７を２つの表示シート６同士が上方に向けて逆Ｖ字状に折曲した状態に保持し、正面部１８と背面部１９とが逆Ｖ字状に開く角度を規制するようになっている。
【００２６】
なお、前記折れ線ａ１〜ａ５及び折れ線ｂ１〜ｂ３はプレスによる凹溝形成や半切り刃やミシン目、その他切込みと凹溝形成やミシン目との組み合わせ等により形成されている。
而して、筒形成部３は、スタンド２３を内嵌することにより三角形の筒状に保形され、正面部１８の表示シート６同士及び背面部１９の表示シート６同士がそれぞれ略面一になる伸長状態に解除可能に保持されている。また、スタンド２３を筒形成部３に対して筒軸廻りに回転させて内嵌することによって、正面部１８、背面部１９乃至底面部１７を構成する２つの表示シート６を１つずつ順次変更できるようになっている。
【００２７】
前記第１実施形態によれば、卓上カレンダー１を机等に設置する場合、まず、１月になると、図１及び図２に示すように、卓上カレンダー１の筒形成部３を１月のカレンダー表示１３がある側が外面になるように筒状に巻回し、端部シート４を第６表示シート６ｆの外面に配置して、筒形成部３の両端部を係合片９と係止孔１０とで着脱自在に連結する。このとき、係合舌片１４を第２切込み１６に差し込んで係合し、端部シート４を内外にガタ付かないように第６表示シート６ｆの外面に添わせる。
【００２８】
その後、１月のカレンダー表示１３が正面部１８の上側になり、２月のカレンダー表示１３が正面部１８の下側になるように、筒形成部３を底面部１７と正面部１８と背面部１９とを有する三角形の筒状にする。
次に、底面部１７を逆Ｖ字状に折曲して、スタンド２３をスタンド姿勢Ｘにし、その正面板２５を正面部１８の内面に沿うように配置し、背面板２６を背面部１９の内面に沿うように配置して、正面板２５と背面板２６とを筒形成部３内に内嵌保持し、卓上カレンダー１をその底面部１７を下にして机等に設置する。
【００２９】
その後、２月〜５月になると、１ヶ月ごとに、卓上カレンダー１を筒軸廻りに回転させて、正面部１８、背面部１９乃至底面部１７を構成する２つの表示シート６を１つずつ順
次変更して、卓上カレンダー１にスタンド２３（正面板２５と背面板２６と）を内嵌し直し、その底面部１７を下にして机等に設置すればよい。
また、６月になると、図３に示すように、卓上カレンダー１の筒形成部３を７月のカレンダー表示１３がある側が外面になるように筒状に巻回し、端部シート４を第１表示シート６ａの外面に重合配置して、筒形成部３の両端部を係合片９と係止孔１０とで着脱自在に連結する。このとき、係合舌片１４を第１切込み１５に差し込んで係合し、端部シート４を内外にガタ付かないように第１表示シート６ａの外面に添わせる。
【００３０】
その後は、正面部１８の上側に端部シート４（６月のカレンダー表示１３）が位置し下側に第６表示シート６ｆ（７月のカレンダー表示１３）が位置するように、卓上カレンダー１（筒形成部３）を三角形の筒状に保形し、底面部１７を逆Ｖ字状に折曲して卓上カレンダー１にスタンド２３（正面板２５と背面板２６と）を内嵌し、その底面部１７を下にして机等に設置すればよく、６月になったときでも、正面部１８の外面の上下に６月のカレンダー表示１３と７月のカレンダー表示１３とが表れる。
【００３１】
その後、７月〜１０月になると、１ヶ月ごとに、卓上カレンダー１を筒軸廻りに回転させて、正面部１８、背面部１９乃至底面部１７を構成する２つの表示シート６を１つずつ順次変更して、卓上カレンダー１にスタンド２３（正面板２５と背面板２６と）を内嵌し直し、その底面部１７を下にして机等に設置すればよい。
また、１１月になると、図４に示すように、卓上カレンダー１を筒軸廻りに回転させて、正面部１８の上側に第２表示シート６ｂ（１１月のカレンダー表示１３）が位置し下側に第１表示シート６ａ（１２月のカレンダー表示１３）が位置するように配置し、係合舌片１４を第１切込み１５から抜いて、端部シート４を第６表示シート６ｆの外面に重合するように折り返し、係合舌片１４を第２切込み１６に差し込めばよく、正面部１８の外面の上下に１１月のカレンダー表示１３と１２月のカレンダー表示１３とが表れる。
【００３２】
また、１２月になると、１１月の卓上カレンダー１の設置状態のままして、正面部１８の外面の上下に１１月のカレンダー表示１３と１２月のカレンダー表示１３が表れるようにしておけばよい。
従って、卓上カレンダー１を机等に設置したとき、正面部１８はやや後上がりに傾斜した起立状態になって、正面部１８の上側の表示シート６と下側の表示シート６が略面一になって上下に連続した状態になり、正面部１８の外面の上下に今月のカレンダー表示１３と来月のカレンダー表示１３とが表れるため、２ヶ月に跨るカレンダー表示１３を略面一に上下に連続した状態で見ることが可能になり、カレンダー表示１３が非常に見やすくなり、便利である。また、設置した卓上カレンダー１は下方に向けて徐々に前後に幅広になった状態になり、机等に安定に設置することができる。
【００３３】
また、多数の卓上カレンダー１を保管したり運搬したりする場合には、卓上カレンダー１をコンパクトに折り畳むことができるし、この際に端部シート４の内面側が上に位置するように折り畳むことによって、端部シート４によってカレンダー表示１３が汚れたりしないように保護することができ、保管や運搬等に便利である。また、端部シート４の内面の表示によって、この商品が卓上カレンダー１であることを認識させたり、広告や宣伝に使用したりすることができる。
【００３４】
また、図１〜図４及び図８に示すように、正面板２５と背面板２６とを単に開閉操作するだけでスタンド２３をスタンド姿勢Ｘと折畳姿勢Ｙとに容易に姿勢変更することができるし、このとき同時に、卓上カレンダー１をスタンド姿勢と折畳姿勢とに簡単に姿勢変更することができる。また、図８に示すように、折畳姿勢Ｙのときに、連結片３０が開口窓２９に嵌合して開口窓２９を塞ぐことができ、卓上カレンダー１の２つ折りにした薄い底面部１７を下部に挟んだだけで、正面板２５と背面板２６とをきっちり重合させることができ、正面板２５の外面又は背面板２６の外面にほとんど凹凸が生じることがなくなり、スタンド２３の正面板２５上又は背面板２６上で卓上カレンダー（卓上表示体）１の表示部分に文字等を簡単かつ良好に書き込むことができるようになり、便利である。しかも、連結片３０の弾性力等によって簡単にスタンド姿勢Ｘに戻し、卓上カレンダー１を再び簡単に設置することができる。
【００３５】
また、スタンド２３は正面板２５と背面板２６とを構成する厚紙等の構成材料があれば、スタンド２３を形成することができ、構成材料が少なくて済み、また、連結片３０の形成も、正面板２５又は背面板２６に切り込みを形成して抜くことで、非常に簡単になすことができ、スタンド２３全体を製造容易で安価に製造することができる。
図９〜図１１は第２実施形態を示し、スタンド２３の正面板２５と背面板２６とに、その上下方向の中央部の左右両側に、開口窓２９を形成して前後方向内方に突出する前後一対の連結片３０が左右に対応して切り起こし形成されている。
【００３６】
本実施形態では、正面板２５と背面板２６とに、上方が開口するコの字状の切込み３１が設けられて、左右の連結片３０が切り起こし形成されている。各連結片３０の先端側は互いに重合固着される重合部３３とされ、各連結片３０の基部側は開口窓２９側と前後方向内方に突出する突出側とに上下に揺動する揺動腕部３４とされ、各連結片３０の基端が上下方向に折曲自在とされている。また、前記第１実施形態の場合と同様にスタンド２３がスタンド姿勢Ｘのときに、各連結片３０が正面板２５と背面板２６とを連結して開く角度を規制し、スタンド２３が折畳姿勢Ｙのときに、一対の連結片３０が対応する開口窓２９に嵌合して互いに重合するようになっている。
【００３７】
そして、正面板２５の外面と背面板２６の外面とに、多数のメモ用紙３７を束ねてなるメモ用紙束３９が配置され、前後のメモ用紙束３９を逆Ｖ字状の連結部材４０で連結して卓上表示体であるメモ帳１が構成されている。
第２実施形態の場合、メモ帳１を机等に設置したとき、前側のメモ用紙束３９はやや後上がりに傾斜した起立状態になって、メモ用紙３７のメモが非常に見やすくなり、便利である。
【００３８】
また、第１実施形態の場合と同様に、正面板２５と背面板２６とを単に開閉操作するだけでスタンド２３をスタンド姿勢Ｘと折畳姿勢Ｙとに容易に姿勢変更することができるし、このとき同時に、メモ帳１をスタンド姿勢と折畳姿勢とに簡単に姿勢変更することができる。また、折畳姿勢Ｙのときに、連結片３０が開口窓２９に嵌合して開口窓２９を塞ぐことができ、正面板２５と背面板２６とをきっちり重合させることができ、正面板２５の外面又は背面板２６の外面にほとんど凹凸が生じることがなくなり、スタンド２３の正面板２５上又は背面板２６上でメモ帳１のメモ用紙３７に文字等を簡単かつ良好に書き込むことができるようになり、便利である。
【００３９】
しかも、スタンド２３は正面板２５と背面板２６とを構成する厚紙等の構成材料があれば、スタンド２３を形成することができ、構成材料が少なくて済み、また、連結片３０の形成も、正面板２５又は背面板２６に切り込みを形成して抜くことで、非常に簡単になすことができ、スタンド２３全体を製造容易で安価に製造することができる。
なお、前記実施形態では、スタンド２３が支持する卓上表示体が卓上カレンダー１又はメモ帳１であるが、これに代え、スタンド２３が支持する卓上表示体を写真立てにしてもよく、この場合、例えば正面板２５又は背面板２６の外面に沿うように複数の写真を保持するようにすればよい。また、卓上表示体として、卓上の漫画や紙芝居その他の卓上表示体に適用実施するようにしてもよい。
【００４０】
また、前記実施形態では、卓上カレンダー１、スタンド２３を厚紙で構成しているが、これらは、厚紙に限らず、合成樹脂シートや金属板その他で構成するようにしてもよい。
また、前記実施形態では、卓上カレンダー１のスタンド２３を構成する厚紙の厚みが、卓上カレンダー１の厚みよりも分厚く形成されているが、これに代え、スタンド２３の構成材料の厚みを卓上カレンダー１の厚みと同一又はそれよりも薄く形成していてもよい。
【００４１】
また、前記実施形態では、正面板２５と背面板２６とに、上下方向の一方が開口するＵ宇状又はコの字状の切込み３１が設けられて、連結片３０が切り起こし形成されているが、これに代え、切込み３１を半円形状、三角形状、五角形以上の多角形状その他の形状にして、連結片３０を切り起こし形成するようにしてもよい。
【符号の説明】
【００４２】
１      卓上カレンダー，メモ帳
３      筒形成部
４      端部シート
１３    カレンダー表示
１７    底面部
１８    正面部
１９    背面部
２３    スタンド
２５    正面板
２６    背面板
２９    開口窓
３０    連結片
３１    切込み
３７    メモ用紙
Ｘ      スタンド姿勢
Ｙ      折畳姿勢
【要約】
【課題】  折畳姿勢にしたときに、スタンド上で卓上表示体の表示部分に文字等を簡単かつ良好に記載することができ、しかも、構成材料が少なくて製造容易でかつ安価に製造することができる卓上表示体のスタンドを提供する。
【解決手段】  正面板２５と背面板２６とに開口窓２９を形成して前後方向内方に突出する一対の連結片３０が切り起こし形成されており、一対の連結片３０の先端側は互いに重合固着される重合部３３とされ、一対の連結片３０の基部側は開口窓２９側と前後方向内方に突出する突出側とに揺動する揺動腕部３４とされ、前記スタンド姿勢Ｘのときに、一対の連結片３０が正面板２５と背面板２６とを連結して開く角度を規制し、前記折畳姿勢Ｙのときに、一対の連結片３０が対応する開口窓２９に嵌合して互いに重合する。
【選択図】図１【図１】
0006011990.tif 000002
【図２】
0006011990.tif 000003
【図３】
0006011990.tif 000004
【図４】
0006011990.tif 000005
【図５】
0006011990.tif 000006
【図６】
0006011990.tif 000007
【図７】
0006011990.tif 000008
【図８】
0006011990.tif 000009
【図９】
0006011990.tif 000010
【図１０】
0006011990.tif 000011
【図１１】
0006011990.tif 000012